(57)【要約】【課題】  被測定物の破損が無く、被測定物の確実な位置決めができる測定装置を提供する。【解決手段】  本発明の測定装置は、四角形の基板状部材からなる被測定物１４を載置する載置台１と、載置台１の凹状部１ｂの底部１ｃの外周に位置した状態で、付勢部材１０によって上下動可能となったガイドピン１１が配置され、ガイドピン１１は、頂部に設けられた傾斜部１１ａを有し、被測定物１４が傾斜部１１ａによってガイドされて凹状部１ｂの底部１ｃ方向に移動されると共に、ガイドピン１１の頂部が被測定物１４によって押圧された時、ガイドピン１１が付勢部材１０に抗して下方に移動するようにしたため、被測定物１４にバリがあっても、ガイドピンは下方に逃げることができて、被測定物１４が破損することが無くなる。【選択図】        図３
2005308453.tif 000002
【特許請求の範囲】
【請求項１】
四角形の基板状部材からなる被測定物を載置する載置台と、この載置台に配置され、前記被測定物の下面に設けられた端子に接触するプローブと、前記被測定物を前記載置台の方向に押圧する押圧部材とを備え、前記載置台には、前記被測定物を受け入れる凹状部が設けられると共に、前記載置台には、前記凹状部の底部の外周に位置した状態で、付勢部材によって上下動可能となったガイドピンが配置され、前記ガイドピンは、頂部に設けられた傾斜部を有し、前記被測定物が前記傾斜部によってガイドされて前記凹状部の前記底部方向に移動されると共に、前記被測定物が前記凹状部の前記底部に位置した時、前記被測定物の側面が前記ガイドピンの側部に当接して支持され、前記ガイドピンの頂部が前記被測定物によって押圧された時、前記ガイドピンが前記付勢部材に抗して下方に移動するようにしたことを特徴する測定装置。
【請求項２】
前記ガイドピンは、前記被測定物のそれぞれの前記側面に対応して配設されたことを特徴する請求項１記載の測定装置。
【請求項３】
前記ガイドピンは、前記被測定物の角部の近傍で、隣り合う前記側面にそれぞれ配設されたことを特徴する請求項１、又は２記載の測定装置。
【請求項４】
前記載置台には、前記凹状部に繋がるすり鉢状のガイド面が設けられたことを特徴する請求項１から３の何れかに記載の測定装置。
【請求項５】
前記ガイドピンの頂部が前記ガイド面の位置から突出したことを特徴する請求項４記載の測定装置。
【請求項６】
電子部品が搭載され、所望の電気回路が形成された回路基板と、前記電子部品を覆った状態で前記回路基板に取り付けられたカバーとを有した電子回路ユニットを備え、前記被測定物が前記電子回路ユニットの前記回路基板で構成されたことを特徴する請求項１から５の何れかに記載の測定装置。
【発明の詳細な説明】
【技術分野】
【０００１】
本発明は電子回路ユニット等に使用して好適な測定装置に関する。
【背景技術】
【０００２】
図４は従来の測定装置に係る斜視図で、次に、従来の測定装置の構成を図４に基づいて説明すると、テーブル５１の上面には、引出線５２が設けられたソケット５３が設けられると共に、このソケット５３の内方には、接続部５４を有する位置決め部材５５が配置され、この位置決め部材５５の中央部には、四角形の凹部５５ａが設けられている。
【０００３】
被測定物５６は、四角形の基板状部材のベアチップからなり、下面に複数の端子（図示せず）が設けられており、この被測定物５６は、大判基板がスクライブ溝に沿って折り曲げられて、破断されることによって製造され、この被測定物５６は、吸着手段５７によって搬送されるようになっている。
【０００４】
次に、このような構成を有する従来の測定装置における測定方法を説明すると、被測定物５６は、吸着手段５７によって凹部５５ａ上に搬送されて、凹部５５ａ内に挿入されると共に、接続部５４に押し付けられて、端子が接続部５４に接触するようになり、この状態で、被測定物５６の測定が行われる。（例えば、特許文献１参照）
【０００５】
しかし、被測定物５６は、大判基板がスクライブ溝に沿って折り曲げられて、破断されることによって製造されるため、被測定物５６は、側面から突出したバリが発生し、このバリによって、被測定物５６の全体は、凹部５５ａ内に挿入されない状態が発生する。
【０００６】
即ち、被測定物５６の一部が凹部５５ａ内に位置した状態で、一部が位置決め部材５５の上部に当接して、被測定物５６が斜め状態となり、この状態で、吸着手段５７によって被測定物５６が押圧されると、被測定物５６が破損する。
【０００７】
また、バリの発生を見込んで、凹部５５ａを大きくすると、凹部５５ａによる被測定物５６の位置決めが不安定となり、端子と接続部５４との間の位置ずれが生じて、正確な測定ができない。
【０００８】
【特許文献１】特開平６−１３８１４５号公報
【発明の開示】
【発明が解決しようとする課題】
【０００９】
従来の測定装置は、基板状部材からなる被測定物５６が位置決め部材５５の凹部５５ａ内に挿入されて、位置決めされるようになっているため、被測定物５６にバリが発生すると、被測定物５６の一部が凹部５５ａ外の位置決め部材５５上に当接して、被測定物５６が斜め状態となり、吸着手段５７によって被測定物５６が押圧されると、被測定物５６が破損するという問題がある。
【００１０】
そこで、本発明は被測定物の破損が無く、被測定物の確実な位置決めができる測定装置を提供することを目的とする。
【課題を解決するための手段】
【００１１】
上記課題を解決するための第１の解決手段として、四角形の基板状部材からなる被測定物を載置する載置台と、この載置台に配置され、前記被測定物の下面に設けられた端子に接触するプローブと、前記被測定物を前記載置台の方向に押圧する押圧部材とを備え、前記載置台には、前記被測定物を受け入れる凹状部が設けられると共に、前記載置台には、前記凹状部の底部の外周に位置した状態で、付勢部材によって上下動可能となったガイドピンが配置され、前記ガイドピンは、頂部に設けられた傾斜部を有し、前記被測定物が前記傾斜部によってガイドされて前記凹状部の前記底部方向に移動されると共に、前記被測定物が前記凹状部の前記底部に位置した時、前記被測定物の側面が前記ガイドピンの側部に当接して支持され、前記ガイドピンの頂部が前記被測定物によって押圧された時、前記ガイドピンが前記付勢部材に抗して下方に移動するようにした構成とした。
【００１２】
また、第２の解決手段として、前記ガイドピンは、前記被測定物のそれぞれの前記側面に対応して配設された構成とした。
また、第３の解決手段として、前記ガイドピンは、前記被測定物の角部の近傍で、隣り合う前記側面にそれぞれ配設された構成とした。
【００１３】
また、第４の解決手段として、前記載置台には、前記凹状部に繋がるすり鉢状のガイド面が設けられた構成とした。
また、第５の解決手段として、前記ガイドピンの頂部が前記ガイド面の位置から突出した構成とした。
【００１４】
また、第６の解決手段として、電子部品が搭載され、所望の電気回路が形成された回路基板と、前記電子部品を覆った状態で前記回路基板に取り付けられたカバーとを有した電子回路ユニットを備え、前記被測定物が前記電子回路ユニットの前記回路基板で構成された。
【発明の効果】
【００１５】
本発明の測定装置は、四角形の基板状部材からなる被測定物を載置する載置台と、この載置台に配置され、被測定物の下面に設けられた端子に接触するプローブと、被測定物を載置台の方向に押圧する押圧部材とを備え、載置台には、被測定物を受け入れる凹状部が設けられると共に、載置台には、凹状部の底部の外周に位置した状態で、付勢部材によって上下動可能となったガイドピンが配置され、ガイドピンは、頂部に設けられた傾斜部を有し、被測定物が傾斜部によってガイドされて凹状部の底部方向に移動されると共に、被測定物が凹状部の底部に位置した時、被測定物の側面がガイドピンの側部に当接して支持され、ガイドピンの頂部が被測定物によって押圧された時、ガイドピンが付勢部材に抗して下方に移動するようにした構成とした。
このように、ガイドピンの頂部が被測定物によって押圧された時、ガイドピンが付勢部材に抗して下方に移動するようにすると、被測定物にバリがあっても、ガイドピンは下方に逃げることができて、被測定物が破損することが無くなる。
また、被測定物がガイドピンの頂部に設けられた傾斜部によってガイドされて凹状部の底部方向に移動されるため、被測定物のガイドを確実に行うことができると共に、被測定物が凹状部の底部に位置した時、被測定物の側面がガイドピンの側部に当接して支持されるため、被測定物の位置決めを正確に行うことができる。
【００１６】
また、ガイドピンは、被測定物のそれぞれの側面に対応して配設されたため、被測定物のガイドと位置決めを正確に行うことができる。
【００１７】
また、ガイドピンは、被測定物の角部の近傍で、隣り合う側面にそれぞれ配設されたため、被測定物のガイドと位置決めをより正確に行うことができる。
【００１８】
また、第４の解決手段として、載置台には、凹状部に繋がるすり鉢状のガイド面が設けられたため、被測定物の載置台への載置が一層容易にできる。
【００１９】
また、ガイドピンの頂部がガイド面の位置から突出したため、被測定物の載置台への移動をスムーズにできる。
【００２０】
また、電子部品が搭載され、所望の電気回路が形成された回路基板と、電子部品を覆った状態で回路基板に取り付けられたカバーとを有した電子回路ユニットを備え、被測定物が電子回路ユニットの回路基板で構成されたため、電子回路ユニットにも適用できて、汎用性のあるものが得られる。
【発明を実施するための最良の形態】
【００２１】
本発明の測定装置の図面を説明すると、図１は本発明の測定装置に係る平面図、図２は本発明の測定装置の要部断面図、図３は本発明の測定装置の測定方法を示す説明図である。
【００２２】
次に、本発明の測定装置の構成を図１〜図３に基づいて説明すると、絶縁材からなる載置台１は、平板状の基部１ａと、この基部１ａの上部に設けられた四角状の凹状部１ｂと、この凹状部１ｂに位置する四角形の平坦状の底部１ｃと、凹状部１ｂの側面に設けられたすり鉢状のガイド面１ｄと、基部１ａの下面からガイド面１ｄに跨って設けられた貫通孔からなる複数の第１の収納部１ｅと、基部１ａの下面から底部１ｃに跨って設けられた貫通孔からなる複数の第２の収納部１ｆを有する。
【００２３】
そして、第１の収納部１ｅは、底部１ｃの外周に位置し、且つ、底部１ｃの４つのそれぞれの角部を挟むように角部の近傍に配設されると共に、第２の収納部１ｆは、底部１ｃの４つの辺のそれぞれに沿って辺の近傍に配設されている。
【００２４】
測定機器に接続されるプリント基板２は、導電パターン３を有し、このプリント基板２は、載置台１の下部に配置されて、第１，第２の収納部１ｅ、１ｆを塞ぐように配設されている。
【００２５】
プローブ４は、金属材からなる有底の筒状部５と、この筒状部５内に収納された金属材からなるバネ６と、このバネ４のバネ性に抗して移動可能に筒状部５に取り付けられたピン状の接触部７とで構成されている。
そして、プローブ４は、第２の収納部１ｆ内に収納されて取り付けられ、プローブ４が載置台１に取り付けられた時、筒状部４の下部が導電パターン３に接触した状態となって、下方への抜け止めがなされると共に、接触部７の上部が底部１ｃから露出した状態となっている。
【００２６】
ガイド部材８は、有底の筒状部９と、この筒状部９内に収納されたコイルバネ等からなる付勢部材１０と、この付勢部材１０のバネ性に抗して移動可能に筒状部９に取り付けられたガイドピン１１とで構成されている。
そして、ガイド部材８は、第１の収納部１ｅ内に収納されて取り付けられ、ガイド部材８が載置台１に取り付けられた時、プリント基板２によって下方への抜け止めがなされると共に、ガイドピン１１の上部の頂部に設けられた傾斜部１１ａがガイド面１ｄに位置した状態で、ガイド面１ｄから凹状部１ｂ内に突出している。
【００２７】
被測定物品である電子回路ユニット１２は、電子部品（図示せず）が搭載されて所望の電気回路を形成し、下面に複数の端子１３が設けられた回路基板からなる被測定物１４と、電子部品を覆った状態で被測定物１４に取り付けられたカバー１５とで構成されている。
【００２８】
四角形の基板状部材からなる被測定物１４の下面に設けられた端子１３は、平坦な電極、或いは、電極に設けられたボールグッリドアレイ等の半田ボール等によって形成され、この端子１３は、電子回路に接続され他状態で、被測定物１４の下面に配設されている。
【００２９】
被測定物１４は、四角形の基板状部材からなるベアチップでも良く、ベアチップや回路基板等からなる被測定物１４は、大判基板がスクライブ溝に沿って折り曲げられて、破断されることによって製造され、この被測定物１４を有した電子回路ユニット１２は、吸着手段の一部を構成する押圧部材１６によって、載置台１に押圧されるようになっている。
【００３０】
次に、このような構成を有する本発明の測定装置における測定方法を説明すると、電子回路ユニット１２は、吸着手段の押圧部材１６によって吸着された状態で凹状部１ｂ上に搬送されて、被測定物１４が凹状部１ｂ内に挿入されると共に、端子１３がプローブ４の接触部７に押圧、接触するようになり、この状態で、被測定物１４の測定が行われる。
【００３１】
また、被測定物１４の凹状部１ｂの挿入時、被測定物１４は、ガイド面１ｄにガイドされながら挿入されて、所定の位置（底部１ｃ）に移動するようになると共に、その途上において、被測定物１４の下部がガイド部材８のガイドピン１１の頂部に位置する傾斜部１１ａに当接し、しかる後、被測定物１４が傾斜部１１ａにガイドされて底部１ｃ側に移動することによって、被測定物１４の側面１４ａがガイドピン１１の側部１１ｂによって支持された状態となり、被測定物１４は、この状態で、押圧部材１６によって底部１ｃ側に押圧されるようになる。
即ち、被測定物１４の４つの角部の近傍は、互いに隣り合う側面１４ａがガイドピン１１の側部１１ｂによって支持された状態で、被測定物１４が移動されるようになる。
【００３２】
そして、端子１３によって接触部７が押圧されると、接触部７がバネ６に抗して下方に移動すると共に、端子１３に接触した接触部７からの信号は、バネ６、筒状部５，及び導電パターン３を介して測定機器に伝送されて、所望の電気的な測定が行われ、測定が完了すると、吸着手段である押圧部材１６によって、電子回路ユニット１２が載置台１から取り外しされ、このようにして被測定物１４の測定が行われる。
【００３３】
また、被測定物１４は、大判基板がスクライブ溝に沿って折り曲げられて、破断されることによって製造されるため、被測定物１４は、側面１４ａから突出したバリが発生したりするが、本発明の測定装置にあっては、側面１４ａにバリがある被測定物１４の場合、バリの箇所がガイドピン１１の頂部にぶつかって移動すると、ガイドピン１１は、バリで押圧されて、付勢部材１０に抗して下方に移動するが、他のガイドピン１１は、被測定物１４の側面１４ａを支持した状態となる。
【００３４】
従って、バリのある被測定物１４が押圧部材１６によって押圧されても、ガイドピン１１の下方への移動によって、被測定物１４が斜め状態になったり、或いは、被測定物１４が破損することが無く、且つ、被測定物１４は、ガイドピン１１の側部１４ｂによって正確に位置決めできる。
【図面の簡単な説明】
【００３５】
【図１】本発明の測定装置に係る平面図。
【図２】本発明の測定装置の要部断面図。
【図３】本発明の測定装置の測定方法を示す説明図。
【図４】従来の測定装置に係る斜視図。
【符号の説明】
【００３６】
１：載置台
１ａ：基部
１ｂ：凹状部
１ｃ：底部
１ｄ：ガイド面
１ｅ：第１の収納部
１ｆ：第２の収納部
２：プリント基板
３：導電パターン
４：プローブ
５：筒状部
６：バネ
７：接触部
８：ガイド部材
９：筒状部
１０：付勢部材
１１：ガイドピン
１１ａ：傾斜部
１１ｂ：側部
１２：電子回路ユニット
１３：端子
１４：被測定物
１４ａ：側面
１５：カバー
１６：押圧部材
【図１】
2005308453.tif 000003
【図２】
2005308453.tif 000004
【図３】
2005308453.tif 000005
【図４】
2005308453.tif 000006